【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  複数のプロキシ資産に対応する口座を管理するために構成されたデータ処理システムに組込まれるものであって、下位にある資産の価額の変化が、現金口座間で現金を移動することにより前記対応するプロキシ資産の評価によって反映されるよう、前記プロキシ資産が、下位にある実質的な資産と既知の関係によってリンクする位置にあり、
前記システムが、前記プロキシ資産のデータを収集し、前記プロキシ資産データを、プログラムされ制御されたデータベースに保存する、データ入力手段と、
前記プロキシ資産に関係する前記データベースから、前記データにアクセスし、さらに、前記実質的資産に対応する価額指標に関係するデータにアクセスし、それに基づいて、前記プロキシ資産の全口座の現金総額が変わらぬよう、各々の新しい現金残高を定期的に判定する、データ処理手段と、
前記プロキシ資産の前記価額の変化を取り込み、前記変化に釣り合う収益を、配当支払いの形で与える、配当プロセッサと、
を備える、データ処理システム。
【請求項２】  前記プロキシ資産データベースが、各プロキシ資産の完全セットのデータと、それに関するオリジナルの発行および価格データとを備える、請求項１に記載のシステム。
【請求項３】  前記価額指標が、前記実質的資産に対して支払われると期待される現在価格を決定する、複合指標値となる、請求項１に記載のシステム。
【請求項４】  未払いのプロキシ資産を、単独の資産に統合することのできる、プロキシ資産バンドルマネージャをさらに備える、請求項１に記載のシステム。
【請求項５】  前記配当ゼネレータが、既定の配当公式を当てはめて配当支払いを決定し、前記支払いを既定の間隔で記録された資産の所有者に行う、請求項１に記載のシステム。
【請求項６】  前記プロキシ資産が、取引システムを通じて、資産の購入取引と償還ができる、請求項１に記載のシステム。
【請求項７】  既存の非流動資産、または以前は取引できなかった収入の権利を模倣し、他の方法では非流動となる資産または収入の権利への投資を可能にする証券である、複数のプロキシ資産を、創設して管理するためのプロキシ資産システムと組み合わせて使用する、プロキシ資産データプロセッサであって、前記プロキシ資産データプロセッサが、資産の価格や収入、選択資産のディスクリプタ、経済データなど、既定の入力を受けることのできるプログラミング命令を備えるもので、前記システムが、以下のものを備えるもの：
プロキシ資産口座マネージャで、前記口座マネージャが、１つ以上の下位の資産の価格指標の入力データまたは、１つ以上の入力源から発生する収入のデータを受け取るものであって、前記口座マネージャが、各プロキシ資産の下位の現金口座残高を決定する予め定められた現金口座公式に関連して、完全セットで現金口座間で資金を送金し、株式の完全セットの売上総額から、前記現金口座公式により、現金口座に収益を割当てることで、前記下位資産または収入の権利に対応する、プロキシ資産現金口座を創設し管理し、前記口座マネージャが、プロキシ資産株式の完全セットの発行と償還を、さらに促進し、処理し、記録するものと、
プロキシ資産配当ゼネレータで、前記配当ゼネレータが、予め定められた配当支払い公式により対応する当現金口座から、前記プロキシ資産の所有者に、配当支払いを行うもの。
【請求項８】  プロキシ資産システム規則によって定義されるように、プロキシ資産の個別株式の売買を行うため顧客注文を受け、保存し、処理し、可能な場合は、プロキシ資産の既存の株式の取引を行い、予め決められた完全セットを探して見つけ、およびプロキシ資産の新株式の発行および／またはプロキシ資産の株式の償還により、完全セット内の注文を処理する取引、発行、償還システムを備える、請求項７に記載のシステム。
【請求項９】  前記プロキシ資産は、下位の資産が、指標とプラスに関係していることを、その公式が定める、値上がりプロキシ資産と、下位の資産口座が、指標とマイナスに関係していることを、その公式が定める、値下がりプロキシ資産とを備え、値上がりと値下がりプロキシ資産株式に対する、現金口座公式の合計が、この２つの、１株あたりの現金口座残高合計に等しく、この２つが一緒になって、完全セットと呼ぶものを構成し、プロキシ資産資産口座マネージャは、現金口座残高を、現金口座公式が定めるレベルに維持することが、常に可能である、請求項７に記載のシステム。
【請求項１０】  前記プロキシ資産は、非流動資産または収入源ペアの間のスワップを示し、リスクのスワップおよび／またはスワッププロキシ資産のバンドルの創設を可能にし、前記スワッププロキシ資産は、完全セットが、スワッププロキシ資産のペアまたはスワッププロキシ資産のサークルのいずれかを含むように、現金口座公式を備える、請求項７に記載のシステム。
【請求項１１】  前記プロキシ資産は、特定の収入源によって得られる収入の指標を用いて定義される、請求項７に記載のシステム。
【請求項１２】  システムが予め定義されるプロキシ資産のバンドルを形成する、プロキシ資産バンドルマネージャをさらに備える、請求項７に記載のシステム。
【請求項１３】  前記プロキシ資産は、複数資産プールに組織され、前記プロキシ資産は、対応する指標を前記プールの残存プロキシ資産に対して個別に入れ替え、前記プールの各プロキシ資産に対応する前記現金口座は、前記プールの残存プロキシ資産の該当指標と相対的にそのプロキシ資産の指標値にしたがって調整される、請求項７に記載のシステム。
【請求項１４】  前記複数資産プールが、値上がりプロキシ資産を備える、請求項１４に記載のシステム。
【請求項１５】  Ａ．資産セットを示すプロキシ資産データエレメントと、プロキシ資産データエレメントに関連する資金プール価額を示す資金プールデータエレメントと、資産セットの価額を示す少なくとも１つの指標を示す指標データエレメントとを含む、プロキシ資産データ要素のセットを格納するためのメモリ装置のセットと、
Ｂ．ａ）プロキシ資産株式の第１のセットと、プロキシ資産株式の第２のセットとをメモリ中で規定するためのプロキシ資産株式モジュールと、
ｂ）資金プールデータエレメントの第１部分を、プロキシ資産株式の第１のセットの価額を示す第１プロキシ資産口座データエレメントに帰属させ、資金プールデータエレメントの第２部分を、プロキシ資産株式の第２のセットの価額を示す第２プロキシ資産口座データエレメントに帰属させるためのプロキシ資産口座モジュールと、
ｃ）指標データエレメントの変化に呼応して、シフトロジックのセットにおいて具体化された口座公式に従い、第１プロキシ資産口座データエレメントと第２プロキシ資産口座データエレメントとの間の資金プールデータエレメントから価額を再配分するための価額シフトモジュールと、
を備える、メモリ装置のセットと連結されたプロキシ資産プロセッサと、
を備えるプロキシ資産システム。
【請求項１６】  プロキシ資産プロセッサは、ｄ）プロキシ資産株式の第１のセットのうちの第１プロキシ資産株式と、プロキシ資産株式の第２のセットのうちの第２プロキシ資産株式とをメモリ中でペアにさせるよう構成されたバンドルモジュールをさらに備える、請求項１５に記載のシステム。
【請求項１７】  プロキシ資産プロセッサは、ｄ）第１プロキシ資産株式のうちの少なくとも１つの第１プロキシ資産株式の償還を示す信号に呼応して、第１プロキシ資産口座データエレメントから支払い額を決定するよう構成された償還モジュールをさらに備える、請求項１５に記載のシステム。
【請求項１８】  指標データエレメントのプラスの変化に呼応して、第２プロキシ資産口座データエレメントから第１プロキシ資産口座データエレメントに価額を再配分することにより、プロキシ資産株式の第１のセットの価額を増加させ、プロキシ資産株式の第２のセットの価額を減少させる、請求項１５に記載のシステム。
【請求項１９】  Ａ．資産セットを示すプロキシ資産データエレメントと、プロキシ資産データエレメントに関連する資金プール価額を示す資金プールデータエレメントと、資産セットの価額を示す少なくとも１つの指標を示す指標データエレメントとを格納することを含むメモリ装置のセットにおいて、プロキシ資産データエレメントのセットを格納するステップと、
Ｂ．ａ）プロキシ資産株式の第１のセットと、プロキシ資産株式の第２のセットとをメモリ中で規定し、
ｂ）資金プールデータエレメントの第１部分を、プロキシ資産株式の第１のセットの価額を示す第１プロキシ資産口座データエレメントに帰属させ、資金プールデータエレメントの第２部分を、プロキシ資産株式の第２のセットの価額を示す第２プロキシ資産口座データエレメントに帰属させ、
ｃ）指標データエレメントの変化に呼応して、シフトロジックのセットにおいて具体化された口座公式に従い、第１プロキシ資産口座データエレメントと第２プロキシ資産口座データエレメントとの間の資金プールデータエレメントから価額を再配分する、
ステップを実行するよう構成され、メモリ装置のセットと連結されたプロキシ資産プロセッサを提供するステップと、
を備えるプロキシ資産方法。
【請求項２０】  プロキシ資産プロセッサは、さらに、ｄ）プロキシ資産株式の第１のセットのうちの第１プロキシ資産株式と、プロキシ資産株式の第２のセットのうちの第２プロキシ資産株式とをメモリ中でペアにさせるステップを実行するよう構成された、請求項１９に記載の方法。
【請求項２１】  プロキシ資産プロセッサは、さらに、ｄ）第１プロキシ資産株式のうち少なくとも１つの第１プロキシ資産株式の償還を示す信号に呼応して、第１プロキシ資産口座データエレメントから支払い額を決定するための償還モジュールを提供するステップを実行するよう構成された、請求項１９に記載の方法。
【請求項２２】  ステップＢ．ｃ）は、指標データエレメントのプラスの変化に呼応して、第２プロキシ資産口座データエレメントから第１プロキシ資産口座データエレメントに価額を再配分することにより、プロキシ資産株式の第１のセットの価額を増加させ、プロキシ資産株式の第２のセットの価額を減少させるステップをさらに備える、請求項１９に記載の方法。
【請求項２３】  プロキシ資産情報を格納する方法と、プロキシ資産情報を処理する方法とを備えるコンピュータシステム内で、少なくとも部分的に実行される、２以上のプロキシ資産のプロキシ資産セットを提供する方法であって、
Ａ．プロキシ資産セットの各プロキシ資産が、プロキシ資産口座価額と、プロキシ資産口座価額に対する権利を表すプロキシ資産株式の数とを有し、プロキシ資産セットが、プロキシ資産セットにおける全てのプロキシ資産株式の数の合計に等しい株式の総数と、全てのプロキシ資産口座価額の合計に等しいプロキシ資産セット口座価額とを有するように、２以上のプロキシ資産のプロキシ資産セットと１以上の指標のセットとを規定するステップと、
Ｂ．１以上の指標のセットに呼応する口座公式を規定するステップと、
Ｃ．資金プールの価額によりプロキシ資産セット口座価額を制限するステップと、
Ｄ．複数の予め定められたイベントのうちの各イベントが発生するとすぐに口座公式に従いプロキシ資産口座価額を再評価するステップと、
を備える、方法。
【請求項２４】  Ａ１）投資家のセットのうちの各投資家が少なくとも１つの投資家口座を割り当てられ、各投資家口座が、プロキシ資産セットのうちの少なくとも１つのプロキシ資産用に、プロキシ資産株式の投資家口座番号を有するように、まず、投資家のセットに株式の総数を割り当てるステップと、
Ａ２）各投資家口座用に、各投資家から、プロキシ資産株式の投資家口座番号と株式毎のプロキシ資産口座価額の初期値との積に等しい額において、資金プールへの出資をまず受け取るステップと、
をさらに備える、請求項２３に記載の方法。
【請求項２５】  プロキシ資産セットの特定のプロキシ資産用に、特定のプロキシ資産のプロキシ資産株式の数で割り算された特定のプロキシ資産の再評価されたプロキシ資産口座価額の商と実質的に等しい、アップデートされた株式毎のプロキシ資産口座価額を公開するステップをさらに備える、請求項２３に記載の方法。
【請求項２６】  再評価ステップの間、１つのプロキシ資産のプロキシ資産口座価額から失われた実質的に全ての価額が、プロキシ資産セットの１以上の他のプロキシ資産のプロキシ資産価額に与えられる、請求項２３に記載の方法。
【請求項２７】  前記再評価は、
Ｄ１）複数の予め定められたイベントのうちの現在のイベントのアップデート時に、１以上の指標のセットに対応する１以上のアップデートされた指標価額を受け取るステップと、
Ｄ２）アップデート時に資金プールのアップデートされた価額を受け取るステップと、
Ｄ３）口座公式と、アップデートされた資金プールの価額とを用いて、各プロキシ資産用に、アップデートされたプロキシ資産口座価額を計算するステップと、
を備える、請求項２３に記載の方法。
【請求項２８】  前記再評価ステップは、
Ｄ４）予め定められた支払い公式に従い、資金プールから支払い額を計算するステップと、
Ｄ５）アップデートされたプロキシ資産口座価額の前記計算の前に、支払い額により資金プールのアップデートされた価額を減少させるステップ、とをさらに備える、請求項２７に記載の方法。
【請求項２９】  ａ）株式毎のプロキシ資産口座価額は、対応するプロキシ資産用に、プロキシ資産株式の数で割り算されたプロキシ資産口座価額の商に実質的に等しく、
ｂ）１以上の指標のセットは、単独の経済指標からなるセットであり、
ｃ）プロキシ資産セットは、値上がりプロキシ資産と値下がりプロキシ資産とを含み、
ｄ）前記プロキシ資産口座価額を規定するステップは、
株式毎の値上がりプロキシ資産口座価額が、単独の経済指標のうち、少なくともいくつかの価額用の単独の経済指標に比例する、値上がり口座公式によって値上がりプロキシ資産口座価額を規定するステップと、
ｅ）値下がり資産口座価額が、値上がりプロキシ資産用のプロキシ資産株式の数の積を減算した資金プールの価額と、株式毎の値上がりプロキシ資産価額との間の相違に実質的に等しい、値下がり口座公式によって値下がりプロキシ資産口座価額を規定するステップとをさらに含む、
請求項２３に記載の方法。
【請求項３０】  １以上の指標のセットうち少なくとも１つの指標は、以下のうちの１以上のものを示す、請求項２３に記載の方法。
ａ）流動資産の価格、
ｂ）非流動資産の価格、
ｃ）所得流列、
ｄ）経済指標、
ｅ）マクロ経済指標、
ｆ）１以上の法人株式、
ｇ）法人株式の総合指数、
ｈ）法人株式の総合指数の値上がり帯、
ｉ）法人株式の総合指数の値上がり帯残余、
ｊ）少なくとも一法人の収益、
ｋ）複数の法人の特定期間における収益、
ｌ）法人株式の、収益に対する価格の比率、
ｍ）法人の分割のためのトラッキングストック、
ｎ）消費指標、
ｏ）ある国の貿易収支、
ｐ）異なるタイプの株相場の普及、
ｑ）異なるタイプの抵当相場の普及、
ｒ）取引所での１以上の品目の付け値における普及、
ｓ）職業収入。
【請求項３１】  非流動資産は、以下のうちの１以上のものを備える、請求項３０に記載の方法。
ａ）不動産、
ｂ）個人所有の法人株式、
ｃ）取引少数の法人株式、
ｄ）船舶、
ｅ）航空機、
ｆ）希少貨幣、
ｇ）宝石用原石、
ｈ）絵画傑作、
ｉ）家畜、
ｊ）サラブレッド。
【請求項３２】  所得流列は、以下のうち少なくとも１つに関する収入を備える、請求項３０に記載の方法。
ａ）国、
ｂ）個人、
ｃ）人間労働、
ｄ）人的資源。
【請求項３３】  経済指標は、以下のうち少なくとも１つを備える、請求項３０に記載の方法。
ａ）消費者価格指標、
ｂ）失業率、
ｃ）消費者信頼感。
【請求項３４】  職業収入は、以下のうち少なくとも１つに関連する、請求項３０に記載の方法。
ａ）労働の種類、
ｂ）一定の特徴を共有する労働群。
【請求項３５】  資金プールは、以下のうち少なくとも１つを含む、請求項２３に記載の方法。
ａ）非流動資産、
ｂ）所得流列、
ｃ）現金、
ｄ）流動資産、
ｅ）現在価値を有する品目。
【請求項３６】  Ｅ）第１プロキシ資産の株式と、第２プロキシ資産の株式とを備える特定のプロキシ資産バンドルを規定するステップと、
Ｆ）特定のプロキシ資産バンドルの価額を公開するステップとをさらに備える、請求項２３に記載の方法。
【請求項３７】  第１プロキシ資産は、第１プロキシ資産セットからのものであり、第２プロキシ資産は、異なるプロキシ資産セットからのものである、請求項３６に記載の方法。
【請求項３８】  ａ）株式毎の平均価額は、プロキシ資産セットのプロキシ資産セット口座価額と、プロキシ資産セットの株式の総数との比率に等しく、
ｂ）株式の完全セットは、一定の条件を満たし、株式の完全セット数を有し、
ｃ）株式の完全セットを発行することと、株式の完全セットを償還することとのうちの少なくとも一方をさらに備える、請求項２３に記載の方法。
【請求項３９】  前記株式の完全セットを発行する方法は、
１）プロキシ資産セット中の特定の各プロキシ資産用に、完全セットにおける特定のプロキシ資産の株式の数だけ、特定のプロキシ資産のプロキシ資産株式の数を増加させるステップと、
２）株式毎の平均価額を乗算した株式の完全セット数の生産物に実質的に等しい額分の追加資金により資金プールを増加させるステップと、
を備える、請求項３８に記載の方法。
【請求項４０】  前記株式の完全セットを償還する方法は、
１）プロキシ資産セット中の特定の各プロキシ資産用に、完全セットにおける特定のプロキシ資産の株式の数だけ、特定のプロキシ資産のプロキシ資産株式の数を減少させるステップと、
２）株式毎の平均価額を乗算した株式の完全セット数の生産物に実質的に等しい額の資金の支払いにより、資金プールを減少させるステップと、
を備える、請求項３８に記載の方法。
【請求項４１】  複数の予め定められたイベントのうちの各イベントは、予め定められた時間のセットのうちの異なるアップデート時間である、請求項２３に記載の方法。
【請求項４２】  少なくともいくつかのプロキシ資産株式を取引所で取引するステップをさらに備える、請求項２３に記載の方法。
【請求項４３】  取引所におけるプロキシ資産株式のオーダの中で、一定の条件を満たす完全セットを明らかにするステップをさらに備える、請求項４２に記載の方法。
【請求項４４】  プロキシ資産株式を完全セットで発行または償還するよう、予め定められたオーダを満たす規則を用いるステップをさらに備える、請求項４３に記載の方法。
【請求項４５】  プロキシ資産株式を償還し、資金プール中の全ての資金を分配するための終端規則を規定するステップをさらに備える、請求項２３に記載の方法。
【請求項４６】  ａ）投資家から、１以上の指標のセットが選択される１以上の候補指標を示す入力を受け取るステップと、
ｂ）示された１以上の候補指標に呼応して、予め定められた口座公式を自動的に立てるステップとをさらに備える、請求項２３に記載の方法。
【請求項４７】  １以上の指標のセットに呼応する２以上のプロキシ資産のプロキシ資産セットにおいて投資を取引する方法であって、
Ａ．ａ）資金プールの価額を表す情報と、ｂ）投資家のセットのうちの特定の投資家と、プロキシ資産のセットのうちの特定のプロキシ資産とを含む特定の投資家口座を表す情報と、ｃ）プロキシ資産株式の投資家口座番号とを有するデータベースを保守するステップと、
Ｂ．通信リンクによって、資金プールの価額を表す信号を送信するステップと、
Ｃ．通信リンクによって、プロキシ資産セットのうちの各プロキシ資産用に、１以上の指標のセットのうちの１つの指標に呼応する、株式毎のプロキシ資産口座価額を受信するステップと、
を備える、方法。
【請求項４８】  プロキシ資産セットのうちの各プロキシ資産は、プロキシ資産口座価額と、プロキシ資産株式の数とを有し、プロキシ資産口座価額のプロキシ資産セットに対する合計は、資金プールの価額に実質的に等しい、１以上の指標のセットに呼応する２以上のプロキシ資産のプロキシ資産セットの株式を、取引所で取引する方法であって、
取引者に、プロキシ資産セットの株式を取引するという１以上の申し出の中で、プロキシ資産セットの株式の完全セットを提示するステップを備え、
完全セットは、プロキシ資産セットの株式の中で、一定の条件を満たす、方法。
【請求項４９】  前記完全セットを提示する方法は、取引画面の１以上の帳簿ウィンドウを同時に保守するステップをさらに備える、請求項４８に記載の方法。
【請求項５０】  １以上の取引申し出の中で、プロキシ資産の株式の完全セットを自動的に見つけるステップをさらに備える、請求項４８に記載の方法。
【請求項５１】  予め定められたオーダを満たす規則に従い、プロキシ資産セットのプロキシ資産を取引するという１以上のオーダを自動的に満たすステップをさらに備える、請求項４８に記載の方法。
【請求項５２】  プロキシ資産セットのうちの各プロキシ資産は、プロキシ資産口座価額と、プロキシ資産株式の数とを有し、プロキシ資産セットは、プロキシ資産株式の数のプロキシ資産セットに対する合計に等しい株式の総数と、プロキシ資産口座価額のプロキシ資産セットに対する合計に等しいプロキシ資産セット口座価額とを有する、１以上の指標のセットに呼応する２以上のプロキシ資産のプロキシ資産セットを提供するシステムであって、
Ａ．ネットワークと、
Ｂ．ネットワークに接続され、投資家のセットのうちの各投資家用に、資金プールの価額と、各プロキシ資産の株式数とを格納する、コンピュータ読み取り可能な媒体と、
Ｃ．ネットワークに接続され、資金プールの価額を計算するよう構成された１以上の銀行プロセッサと、
Ｄ．１以上の指標のセットのうち、少なくとも１つの対応する指標の機能として、プロキシ資産口座価額を評価し、資金プールの価額によって、プロキシ資産セット口座価額を制限するよう構成された、１以上のプロキシ資産セットプロセッサとを備える、システム。
【請求項５３】  １以上の指標のセットに呼応する２以上のプロキシ資産のプロキシ資産セットにおいて投資を取引する装置であって、
Ａ．資金プールの価額と、
ａ）投資家のセットのうちの特定の投資家と、
ｂ）プロキシ資産のセットのうちの特定のプロキシ資産と、
ｃ）プロキシ資産株式の投資家口座番号と、
を含む特定の投資家口座を表す情報とを格納するコンピュータ読み取り可能な媒体と、
Ｂ．コンピュータ読み取り可能な媒体に接続され、通信リンクによって、資金プールの価額を表す信号を送信し、
Ｃ．通信リンクによって、プロキシ資産セットのうちの各プロキシ資産用に、１以上の指標のセットのうちの１つの指標に呼応する、株式毎のプロキシ資産口座価額を受信するよう構成された１以上のプロセッサと、
を備える、装置。
【請求項５４】  プロキシ資産セットのうちの各プロキシ資産は、プロキシ資産口座価額と、プロキシ資産株式の数とを有し、プロキシ資産口座価額のプロキシ資産セットに対する合計は、資金プールの価額に実質的に等しい、１以上の指標のセットに呼応する２以上のプロキシ資産のプロキシ資産セットの株式を、取引所で取引するための装置であって、
Ａ．表示装置と、
Ｂ．表示装置に接続され、プロキシ資産セットの株式を取引するという１以上の申し出の中で、プロキシ資産セットの株式の完全セットを表示装置に提示するよう構成された１以上のプロセッサとを備え、
完全セットは、プロキシ資産セットの株式の中で、一定の条件を満たす、装置。
【請求項５５】  プロキシ資産セットのうちの各プロキシ資産は、プロキシ資産口座価額と、プロキシ資産口座価額に対する平等な権利を示すプロキシ資産株式の数とを有し、プロキシ資産セットは、プロキシ資産株式の数のプロキシ資産セットに対する合計に等しい株式総数と、プロキシ資産口座価額のプロキシ資産セットに対する合計に等しいプロキシ資産セット口座価額とを有する、１以上の指標のセットに呼応する２以上のプロキシ資産のプロキシ資産セットを管理する装置であって、
Ａ）資金プールの価額と、指標セットの指標の価額とを格納するためのコンピュータ読み取り可能な媒体と、
Ｂ）コンピュータ読み取り可能な媒体に接続され、指標価額に呼応する口座公式と、資金プールの価額によるプロキシ資産口座価額に対する制約とに従い、プロキシ資産口座価額を評価するよう構成された１以上のプロセッサとを備え、
前記評価は、複数の予め定められたイベントのうちの各イベントが発生するとすぐに、行われる、装置。
【請求項５６】  １以上の指標のセットに呼応する２以上のプロキシ資産のプロキシ資産セットにおいて投資を取引するためのコンピュータプログラムプロダクトであって、
Ａ．資金プールの価額を表す情報と、
ａ）投資家のセットのうちの特定の投資家と、
ｂ）プロキシ資産のセットのうちの特定のプロキシ資産と、
ｃ）プロキシ資産株式の投資家口座番号と、
を含む特定の投資家口座を表す情報とを格納するコンピュータ読み取り可能な媒体と、
Ｂ．１以上のプロセッサに、
通信リンクによって、資金プールの価額を表す信号を送信させ、
通信リンクによって、プロキシ資産セットのうちの各プロキシ資産用に、１以上の指標のセットのうちの１つの指標に呼応する、株式毎のプロキシ資産口座価額を受信させるため、コンピュータ読み取り可能な媒体に格納された命令と、
を備える、コンピュータプログラムプロダクト。
【請求項５７】  プロキシ資産セットのうちの各プロキシ資産は、プロキシ資産口座価額と、プロキシ資産株式の数とを有し、プロキシ資産口座価額のプロキシ資産セットに対する合計は、資金プールの価額に実質的に等しい、１以上の指標のセットに呼応する２以上のプロキシ資産のプロキシ資産セットの株式を、取引所で取引するためのコンピュータプログラムプロダクトであって、
Ａ）コンピュータ読み取り可能な媒体と、
Ｂ）１以上のプロセッサに、
プロキシ資産セットの株式を取引するという１以上の申し出の中で、プロキシ資産セットの株式の完全セットを表示装置に提示させるため、媒体に格納された命令とを備え、
完全セットは、プロキシ資産セットの株式の中で、一定の条件を満たす、コンピュータプログラムプロダクト。